(57)【要約】      （修正有）【課題】外見上は巻きスカートでありながら、機能性を損なうことなく、足を上げたり開いたりしても素足や下着が見えない、巻きスカート風ボトムを提供する。【解決手段】巻きスカート風ボトム１０は、両足及び腰を挿し通すパンツ部１２と、パンツ部１２の外側に巻き付けられた巻きスカート部１４と、巻きスカート部１４の上端とパンツ部１２の上端とが一体化されたウエスト部１６とを備えたものである。そして、巻きスカート部１４は、巻き始め端１４１がパンツ部１２の左足側１２１と一体化され、パンツ部１２の右足側１２２を覆い、巻き終り端１４２がパンツ部１２の左足側１２１で開口する。巻き終り端１４２からは、パンツ部１２の特に左足側１２１が見える。したがって、足を上げたり開いたりしても、素足や下着が見えることはない。しかも、巻き始め端１４１がパンツ部１２の左足側１２１と一体化しているので、巻きスカートの下にパンツを着用しているようには見えない。【選択図】図１
0003103272.tif 000002
【実用新案登録請求の範囲】
【請求項１】
両足及び腰を挿し通すパンツ部と、このパンツ部の外側に巻き付けられた巻きスカート部と、この巻きスカート部が前記パンツ部の上側で固定された結合部とを備え、
左足及び右足のどちら一方を第一足、他方を第二足としたとき、
前記巻きスカート部は、巻き始め端が前記パンツ部の第一足側と一体化され、前記パンツ部の第二足側を覆い、巻き終り端が前記パンツ部の第一足側で開口する、
巻きスカート風ボトム。
【考案の詳細な説明】
【技術分野】
【０００１】
本考案は、服飾分野において主に婦人が着用する、巻きスカート風ボトムに関する。
【背景技術】
【０００２】
従来の巻きスカートは、一枚の布を下半身に巻き付けるものである（例えば、下記特許文献１）。通常のスカートには無い巻きスカートの特徴は、巻き始め端と巻き終り端とが開いていることである。この特徴を生かして、巻きスカートならではの「おしゃれ」を楽しむことができる。
【０００３】
【特許文献１】登録実用新案第３０１０４０２号公報
【考案の開示】
【考案が解決しようとする課題】
【０００４】
従来の巻きスカートでは、巻きスカートを着用した状態で、足を上げたり開いたりすると、巻き始め端と巻き終り端との間から素足や下着が見えてしまうことがあった。これを防ぐには、次の二つの方法がある。
（１）．巻きスカートの下にパンツを着用する。しかし、これは甚だ見苦しくなるので、美的センスを重んずる人々にとっては許し難いことであった。
（２）．布の部分をたくさん巻いたりきつく巻いたりする。しかし、これは例えば階段の上り下りなどの動きを阻害する、すなわち機能性を損なうことになる。
【０００５】
そこで、本考案の目的は、外見上は巻きスカートでありながら、機能性を損なうことなく、足を上げたり開いたりしても素足や下着が見えない、巻きスカート風ボトムを提供することにある。
【課題を解決するための手段】
【０００６】
本考案に係る巻きスカート風ボトムは、両足及び腰を挿し通すパンツ部と、パンツ部の外側に巻き付けられた巻きスカート部と、巻きスカート部がパンツ部の上側で固定された結合部と、を備えたものである。そして、左足及び右足のどちら一方を第一足、他方を第二足としたとき、巻きスカート部は、巻き始め端がパンツ部の第一足側と一体化され、パンツ部の第二足側を覆い、巻き終り端がパンツ部の第一足側で開口する。
【０００７】
この巻きスカート風ボトムを着用した状態で、開口している巻き終り端からは、パンツ部の特に第一足側が見える。したがって、足を上げたり開いたりしても、素足や下着が見えることはない。そのため、思う存分に動けるので機能性も向上する。つまり、階段の上り下りや、大きな歩幅も自由自在である。しかも、巻き始め端がパンツ部の第一足側と一体化しているので、パンツ部の第一足側は巻き始め端としか見えない。すなわち、巻きスカートの下にパンツを着用しているようには見えない。
【０００８】
また、本考案では、巻きスカート部とパンツ部とが結合部で固定されているので、巻きスカートの下にパンツを着用した場合（以下、「従来例」という。）に比べて、次の利点を有する。
【０００９】
従来例では、パンツを着用し、続いて巻きスカートを着用する。これに対し、本考案では、パンツのみを着用する手間と同等であるので、着脱が容易である。従来例では、着ている間に次第にパンツと巻きスカートとの位置がずれる、着崩れを生ずる。これに対し、本考案では、パンツ部と巻きスカート部とが固定されているので、そのような着崩れは生じない。
【考案の効果】
【００１０】
本考案に係る巻きスカート風ボトムによれば、巻きスカート部の巻き始め端がパンツ部の第一足側と一体化され、巻き終り端がパンツ部の第一足側で開口することにより、思う存分に足を上げたり開いたりしても、パンツ部の特に第一足側が見えるだけであるので、機能性を向上できる。しかも、パンツ部の第一足側が巻き始め端のように見えるので、巻きスカートの下にパンツを着用しているように見えることも回避できる。これに加え、実際には巻きスカートの下にパンツを着用している状態であるので、冬でも暖かである。
【考案を実施するための最良の形態】
【００１１】
図１乃至図４は、本考案に係る巻きスカート風ボトムの一実施形態を示す。図１は、正面斜め下から見た斜視図、図２は背面斜め下から見た斜視図、図３は足を開いた状態を示す正面図、図４［１］は着用状態を示す正面図、図４［２］は着用状態を示すやや斜めから見た正面図である。以下、これらの図面に基づき説明する。
【００１２】
本実施形態の巻きスカート風ボトム１０は、両足及び腰を挿し通すパンツ部１２と、パンツ部１２の外側に巻き付けられた巻きスカート部１４と、巻きスカート部１４の上端とパンツ部１２の上端とが一体化されたウエスト部１６とを備えたものである。そして、巻きスカート部１４は、巻き始め端１４１がパンツ部１２の左足側１２１と一体化され、パンツ部１２の右足側１２２を覆い、巻き終り端１４２がパンツ部１２の左足側１２１で開口する。
【００１３】
巻きスカート風ボトム１０は、次の三枚の布を中心に縫い合わせることにより作製する。一枚目の布は、巻き始め端１４１から巻き終り端１４２までであり、左足側１２１の前半分と巻きスカート部１４の全体とを構成する。二枚目の布は、左足側１２１の後半分を構成する。三枚目の布は、右足側１２２の全体を構成する。
【００１４】
ウエスト部１６は、伸縮自在の素材からなり、面状ファスナによってサイズを調整できるようになっている。
【００１５】
次に、巻きスカート風ボトム１０の作用及び効果について説明する。
【００１６】
巻きスカート風ボトム１０を着用した状態で、開口している巻き終り端１４２からは、パンツ部１２の特に左足側１２１が見える。したがって、足を上げたり開いたりしても、素足や下着が見えることはない。しかも、巻き始め端１４１がパンツ部１２の左足側１２１と一体化しているので、パンツ部１２の左足側１２１は巻き始め端１４１と区別がつき難い。すなわち、巻きスカートの下にパンツを着用しているようには見えない。
【００１７】
また、巻きスカート部１４とパンツ部１２とがウエスト部１６で固定されているので、着脱が容易であり、しかもパンツ部１２と巻きスカート部１４との着崩れも生じない。
【００１８】
なお、巻きスカート風ボトム１０は、次のような形態にすることもできる。
（１）．巻き始め端１４１と左足側１２１とを一体化するのに、左足側１２１の前半分と巻きスカート部１４の全体とを一枚の布で構成することに限らず、例えば左足側１２１の全体を一枚の布で構成し、この布と巻き始め端１４１とを縫い合わせてもよい。
（２）．巻きスカート部１４とパンツ部１２との結合部は、必ずしもウエスト部１６とする必要は無く、ウエスト部１６よりも下であってもよい。
（３）．巻きスカート風ボトム１０としてロングスカートを例示したが、その丈を短くしてミニスカートとしてもよい。この場合、似たものとしてキュロットスカートが挙げられるが、これは半ズボン風である。これに対して、本考案は、その名のとおり巻きスカート風であるので、よりスカートらしく見えるという利点がある。
【００１９】
なお、上記の実施の態様は、言うまでもなく例示に過ぎないので、本考案を限定するものではない。例えば、巻きスカート部は、ギャザースカート、ゴアードスカート、サーキュラースカート、サスペンダースカート、タイトスカート、ティアードスカート、フルスカート、フレアスカート、プリーツスカート等のようにしてもよい。
【図面の簡単な説明】
【００２０】
【図１】本考案の一実施形態を示す、正面斜め下から見た斜視図である。
【図２】本実施形態における、背面斜め下から見た斜視図である。
【図３】本実施形態における、足を開いた状態を示す正面図である。
【図４】本実施形態における着用状態を示し、図４［１］は正面図、図４［２］はやや斜めから見た正面図である。
【符号の説明】
【００２１】
１０  巻きスカート風ボトム
１２  パンツ部
１２１  パンツ部の左足側
１２２  パンツ部の右足側
１４  巻きスカート部
１４１  巻きスカート部の巻き始め端
１４２  巻きスカート部の巻き終り端
１６  ウエスト部（結合部）
【図１】
0003103272.tif 000003
【図２】
0003103272.tif 000004
【図３】
0003103272.tif 000005
【図４】
0003103272.tif 000006